(57)【要約】      （修正有）【課題】パーソナルコンピューターの簡素化、組み立てが簡単で、分解がしやすい、パーソナルコンピューターを提供する。【解決手段】パーソナルコンピューターの主要部品、マザーボード、ハードディスクドライブ、光ディスクドライブ、電源を、それぞれユニット化したユニットパソコンであって、マザーボードの、主要部品がほとんどついていない平面（裏面）に、ハードディスクドライブ用と光ディスクドライブ用と電源用の接続器（電気と電気信号を通す）を、それぞれもうける。マザーボードをケースに入れ取り付け、そのケースにもマザーボードに設けた接続器と同じ所に、同じ形状の穴を設け、ユニット化する。ハードディスクドライブ、光ディスクドライブ、電源にも、接続器と、固定部材（マザーボードユニットと、電源ユニット、ハードディスクドライブユニット、光ディスクドライブユニットを固定する）、それぞれ外面に設け、ユニット化する。【選択図】図１２
2008176754.tif 000002
【特許請求の範囲】
【請求項１】
パーソナルコンピューターの主要部品、マザーボード、ハードディスクドライブ、光ディスクドライブ、電源を、それぞれユニット化したユニットパソコンであって、
マザーボードの、主要部品がほとんどついていない平面（裏面）に、ハードディスクドライブ用と光ディスクドライブ用と電源用の接続器（電気と電気信号通す）を、それぞれもうける。マザーボードをケースに入れ取り付け、そのケースにもマザーボードに設けた接続器と同じ所に、同じ形状の穴を設け、ユニット化する。ハードディスクドライブ、光ディスクドライブ、電源にも、接続器と、固定部材（マザーボードユニットに、電源ユニット、ハードディスクドライブユニット、光ディスクドライブユニットを固定する）、それぞれ外面に設け、ユニット化する。マザーボードユニットの差し込み穴（接続器の穴）が開いている外面に、電源ユニット、ハードディスクドライブユニットを接続器で、マザーボードとつなぎ、固定部材で取り付ける。ハードディスクドライブユニットに、重ねるように、光ディスクドライブユニットを、接続器で、マザーボードとつなぎ、固定部材で取り付ける。
以上のように構成されたユニットパソコン。
【請求項２】
前記ユニットパソコンのハードディスクドライブユニットと光ディスクドライブユニットを重ねないで、ハードディスクドライブユニットと光ディスクドライブユニットと、電源ユニットを、マザーボードユニットの、外面に並べて取り付けたものとする請求項１記載のユニットパソコン。
【請求項３】
請求項２記載のユニットパソコンの光ディスクドライブユニットを無くし、ハードディスクドライブユニットと電源ユニットを、マザーボードユニットの、外面に並べて取り付けたものとする請求項１記載のユニットパソコン。
【請求項４】
請求項２記載のユニットパソコンのハードディスクドライブユニットを無くし、光ディスクドライブユニットと電源ユニットを、マザーボードユニットの、外面に並べて取り付けたものとする請求項１記載のユニットパソコン。
【請求項５】
請求項１記載のユニットパソコンの固定部材に、抜け止めのついたストッパーを設け、各ユニットを差し込むだけで、固定できる用にした請求項１記載のユニットパソコン。
【発明の詳細な説明】
【産業上の利用分野】
【０００１】  本発明は、パーソナルコンピューター、テレビゲーム、ＤＶＤレコーダ等に、関する。
【背景技術】
【０００２】  従来のパーソナルコンピューターは、主要部品を全部ケース内に納めていた、内部の主要部品間を配線で繋いでいた。
【発明が解決しょうとする課題】
【０００３】  パーソナルコンピューターの簡素化、複雑な配線を無くす、組み立て、分解を簡単にする。
【問題を解決するための手段】
【０００４】  パーソナルコンピューターの主要部品、マザーボード、ハードディスクドライブ、光ディスクドライブ、電源を、それぞれユニット化したユニットパソコンであって、マザーボードの、主要部品がほとんどついていない平面（裏面）に、ハードディスクドライブ用と光ディスクドライブ用と電源用の接続器（電気と電気信号を通す）を、それぞれもうける。マザーボードをケースに入れ取り付け、そのケースにもマザーボードに設けた接続器と同じ所に、同じ形状の穴を設け、ユニット化する。ハードディスクドライブ、光ディスクドライブ、電源にも、接続器と、固定部材（マザーボードユニットと、電源ユニット、ハードディスクドライブユニット、光ディスクドライブユニットを固定する）、それぞれ外面に設け、ユニット化する。マザーボードユニットの差し込み穴（接続器の穴）が開いている外面に、電源ユニット、ハードディスクドライブユニットを接続器で、マザーボードとつなぎ、固定部材で取り付ける。ハードディスクドライブユニットに、重ねるように、光ディスクドライブユニット、接続器で、マザーボードとつなぎ、固定部材で取
【作用】
【０００５】  本発明のパーソナルコンピューターは、電気が、電源ユニットから接続器を通してマザーボードに流れ、マザーボードから接続器を通して、ハードディスクドライブ、光ディスクドライブへ電気と電気信号が流れる。
【実施例】
【０００６】以下、本発明の実施例について説明する。
パーソナルコンピューターの主要部品、マザーボード、ハードディスクドライブ、光ディスクドライブ、電源を、それぞれユニット化したユニットパソコンであって、マザーボードの、主要部品がほとんどついていない平面（裏面）に、ハードディスクドライブ用と光ディスクドライブ用と電源用の接続器（電気と電気信号を通す）（１４）（１５）（１６）を、それぞれもうける。マザーボード（１３）をケースに入れ取り付け、そのケースにもマザーボード（１３）に設けた接続器と同じ所に、同じ形状の穴（３）（４）（５）を設け、ユニット化する。ハードディスクドライブ、光ディスクドライブ、電源にも、接続器（６）（８）（１１）と、固定部材（マザーボードユニット（１）と、電源ユニット（１２）、ハードディスクドライブユニット（７）、光ディスクドライブユニット（９）を固定する）、それぞれ外面に設け、ユニット化する。マザーボードユニット（１）の差し込み穴（接続器の穴）が開いている外面に、電源ユニット（１２）、ハードディスクドライブユニット（７）を接続器で、マザーボード（１３）とつなぎ、固定部材で取り付ける。ハードディスクドライブユニット（７）に、重ねるように、光ディスクドライブユニット（９）、接続器（８）で、マザーボード（１３）とつなぎ、固定部材で取り付ける。
ハードディスクドライブユニット（７）と光ディスクドライブユニット（１７）と、電源ユニット（１２）を、マザーボードユニット（１）の、外面に並べて取り付けたものでもよい。
また、ハードディスクドライブユニット（７）と電源ユニット（１２）を、マザーボードユニット（１）の、外面に並べて取り付けたものでもよい。
また、光ディスクドライブユニット（１７）と電源ユニット（１２）を、マザーボードユニット（１）の、外面に並べて取り付けたものでもよい。
マザーボードユニット（１）と各ユニットの固定には、ネジまたは、抜け止めがついた、差し込み固定部材でもよい。
固定部材（１８）に、抜け止めのついたストッパー（１９）を設け、各ユニットをマザーボードユニット（１）に、差し込むだけで、固定できる。
【発明の効果】
本発明は、以上のような構成でこれを利用したパーソナルコンピューターは、配線が無いのと、ユニット化されているので、組み立てが簡単である。
廃棄処分の時、分解が簡単で、ユニット単位で、再利用も可能である。
【図面の簡単な説明】
【図１】  ユニットパソコンの組み立て斜視図
【図２】  ユニットパソコンの底面図
【図３】  マザーボードユニットの底面図
【図４】  マザーボードユニットの斜視図
【図５】  マザーボードの裏面図
【図６】  横長ユニットパソコンの底面図
【図７】  縦長ユニットパソコンの底面図
【図８】  ユニット化したハードディスクドライブの斜視図
【図９】  ユニット化した二段重ね用、光ディスクドライブの斜視図
【図１０】  ユニット化した電源の斜視図
【図１１】  ユニット化した単体の光ディスクドライブの斜視図
【図１２】  ユニットパソコンにストッパー付き組み立て斜視図
【図１３】  ユニット化した，ネジで取り付けるハードディスクドライブの斜視図
【図１４】  ネジで取り付けるタイプの固定部材の斜視図
【図１５】  ストッパーで取り付けるタイプの固定部材の斜視図
【符号の説明】
（１）  マザーボードユニット
（２）  パワースイッチ
（３）  ハードディスクドライブユニット用、差し込み穴
（４）  光ディスクドライブユニット用、差し込み穴
（５）  電源ユニット用、差し込み穴
（６）  ハードディスクドライブユニットの接続器
（７）  ハードディスクドライブユニット
（８）  光ディスクドライブユニットの接続器
（９）  二段重ね用、光ディスクドライブユニット
（１０）空気抜き窓
（１１）電源ユニットの接続器
（１２）電源ユニット
（１３）マザーボード
（１４）ハードディスクドライブユニットの接続器
（１５）光ディスクドライブユニットの接続器
（１６）電源ユニットの接続器
（１７）単体の光ディスクドライブユニット
（１８）固定部材
（１９）ストッパー
（２０）ストッパー
（２１）ストッパー
（２２）ストッパー
（２３）ストッパー
（２４）固定部材
（２５）固定部材
（２６）ストッパー
（２７）ストッパーの入る穴
（２８）固定部材
（２９）固定部材
（３０）取り付けるためのネジ穴
【図１】
2008176754.tif 000003
【図２】
2008176754.tif 000004
【図３】
2008176754.tif 000005
【図４】
2008176754.tif 000006
【図５】
2008176754.tif 000007
【図６】
2008176754.tif 000008
【図７】
2008176754.tif 000009
【図８】
2008176754.tif 000010
【図９】
2008176754.tif 000011
【図１０】
2008176754.tif 000012
【図１１】
2008176754.tif 000013
【図１２】
2008176754.tif 000014
【図１３】
2008176754.tif 000015
【図１４】
2008176754.tif 000016
【図１５】
2008176754.tif 000017